(57)【特許請求の範囲】
【請求項１】
クライアント端末およびコメント投稿サイトに通信可能に接続された情報管理装置であって、当該情報管理装置への投稿の権限をもったユーザの前記クライアント端末からのコメントの受付が可能なダイアリーであって前記クライアント端末に表示が可能な前記ダイアリーを、管理する情報管理装置であって、
前記ダイアリーが前記投稿の権限を持たないユーザに対して公開すべきものであるか否かを示す情報である公開設定情報を記憶する記憶手段と、
前記記憶手段に記憶される前記ダイアリーへ反映させるべく投稿される前記コメントであって、前記コメント投稿サイトに投稿するための当該コメントを、前記投稿の権限をもったユーザの前記クライアント端末から受付ける受付手段と、
前記受付手段にて受付けられた前記コメントを含む前記ダイアリーを、前記記憶手段に記憶される前記公開設定情報に基づいて、前記投稿の権限を持たないユーザに対して公開すべきものであるか否か判定する判定手段と、
前記受付手段にて受付けられた前記コメントを含む前記ダイアリーへアクセス可能なリンク情報を生成する生成手段と、
前記受付手段によって投稿を受付けた前記コメントが反映される前記ダイアリーの前記公開設定情報に基づいて、前記判定手段によって、当該コメントが反映される当該ダイアリーが前記投稿の権限を持たないユーザに対して公開すべきものであると判定された場合には、当該コメントを、前記生成手段によって生成された前記リンク情報とともに、前記コメント投稿サイトに送信し、一方、当該コメントが反映される当該ダイアリーが前記投稿の権限を持たないユーザに対して公開すべきものでないと判定された場合には、前記リンク情報を送信することなく、当該コメントを前記コメント投稿サイトに送信する送信手段とを備えることを特徴とする情報管理装置。
【請求項２】
前記記憶手段は、前記コメント投稿サイトにログイン可能な情報であるログイン情報をさらに記憶し、
前記送信手段は、前記受付手段によって投稿を受付けた前記コメントとともに前記ログイン情報を送信することを特徴とする請求項１に記載の情報管理装置。
【請求項３】
前記記憶手段は、前記送信手段の送信先として複数のコメント投稿サイトのリンク情報をさらに記憶し、
前記送信手段は、前記記憶手段に記憶されている前記複数のコメント投稿サイトのリンク情報に基づいて、前記コメントと前記リンク情報と前記ログイン情報とを、当該１または複数の投稿サイトに送信することを特徴とする請求項１または請求項２のいずれか１項に記載の情報管理装置。
【請求項４】
前記記憶手段は、それぞれの前記コメント投稿サイトにおいて表示が可能なコメントの文字数である、最大文字数をさらに記憶し、
前記コメント投稿サイトに前記コメントを送信する場合、前記送信手段は、前記コメント投稿サイトごとのそれぞれの前記最大文字数に基づいて、前記コメントの文字数を前記コメント投稿サイトごとに制御して送信することを特徴とする請求項３に記載の情報管理装置。
【請求項５】
前記情報管理装置は、前記リンク情報を短縮した情報である短縮リンク情報を生成するサイトである短縮サイトに通信可能に接続されており、
前記生成手段により生成されたリンク情報を、前記短縮サイトに送信するリンク情報送信手段と、
前記短縮サイトから前記短縮リンク情報を受信する短縮リンク情報受信手段とをさらに備え、
前記コメント投稿サイトに前記コメントを送信する場合、前記送信手段は、前記コメント投稿サイトごとのそれぞれの前記最大文字数に基づいて、前記生成手段によって生成され前記リンク情報送信手段によって前記短縮サイトに送信された前記リンク情報を基に前記短縮サイトにて生成され前記短縮リンク情報受信手段によって受信した前記短縮リンク情報を含む前記コメントを、当該コメントの文字数を前記コメント投稿サイトごとに制御して送信することを特徴とする請求項４に記載の情報管理装置。
【請求項６】
クライアント端末およびコメント投稿サイトに通信可能に接続された情報管理装置であって、当該情報管理装置への投稿の権限をもったユーザの前記クライアント端末からのコメントの受付が可能なダイアリーであって前記クライアント端末に表示が可能な前記ダイアリーを管理する情報管理装置であって、前記ダイアリーが前記投稿の権限を持たないユーザに対して公開すべきものであるか否かを示す情報である公開設定情報を記憶する記憶手段を備える情報管理装置における制御方法であって、
前記情報管理装置の受付手段が、前記記憶手段に記憶される前記ダイアリーへ反映させるべく投稿される前記コメントであって、前記コメント投稿サイトに投稿するための当該コメントを、前記投稿の権限をもったユーザの前記クライアント端末から受付ける受付工程と、
前記情報管理装置の判定手段が、前記受付工程にて受付けられた前記コメントを含む前記ダイアリーを、前記記憶手段に記憶される前記公開設定情報に基づいて、前記投稿の権限を持たないユーザに対して公開すべきものであるか否か判定する判定工程と、
前記情報管理装置の生成手段が、前記受付工程にて受付けられた前記コメントを含む前記ダイアリーへアクセス可能なリンク情報を生成する生成工程と、
前記情報管理装置の送信手段が、前記受付工程によって投稿を受付けた前記コメントが反映される前記ダイアリーの前記公開設定情報に基づいて、前記判定工程によって、当該コメントが反映される当該ダイアリーが前記投稿の権限を持たないユーザに対して公開すべきものであると判定された場合には、当該コメントを、前記生成工程によって生成された前記リンク情報とともに、前記コメント投稿サイトに送信し、一方、当該コメントが反映される当該ダイアリーが前記投稿の権限を持たないユーザに対して公開すべきものでないと判定された場合には、前記リンク情報を送信することなく、当該コメントを前記コメント投稿サイトに送信する送信工程とを含むことを特徴とする制御方法。
【請求項７】
クライアント端末およびコメント投稿サイトに通信可能に接続された情報管理装置であって、当該情報管理装置への投稿の権限をもったユーザの前記クライアント端末からのコメントの受付が可能なダイアリーであって前記クライアント端末に表示が可能な前記ダイアリーを、管理する情報管理装置であって、前記ダイアリーが前記投稿の権限を持たないユーザに対して公開すべきものであるか否かを示す情報である公開設定情報を記憶する記憶手段を備える情報管理装置で読み取り実行が可能なプログラムであって、
前記情報管理装置を、
前記記憶手段に記憶される前記ダイアリーへ反映させるべく投稿される前記コメントであって、前記コメント投稿サイトに投稿するための当該コメントを、前記投稿の権限をもったユーザの前記クライアント端末から受付ける受付手段と、
前記受付手段にて受付けられた前記コメントを含む前記ダイアリーを、前記記憶手段に記憶される前記公開設定情報に基づいて、前記投稿の権限を持たないユーザに対して公開すべきものであるか否か判定する判定手段と、
前記受付手段にて受付けられた前記コメントを含む前記ダイアリーへアクセス可能なリンク情報を生成する生成手段と、
前記受付手段によって投稿を受付けた前記コメントが反映される前記ダイアリーの前記公開設定情報に基づいて、前記判定手段によって、当該コメントが反映される当該ダイアリーが前記投稿の権限を持たないユーザに対して公開すべきものであると判定された場合には、当該コメントを、前記生成手段によって生成された前記リンク情報とともに、前記コメント投稿サイトに送信し、一方、当該コメントが反映される当該ダイアリーが前記投稿の権限を持たないユーザに対して公開すべきものでないと判定された場合には、前記リンク情報を送信することなく、当該コメントを前記コメント投稿サイトに送信する送信手段として機能させることを特徴とするプログラム。
【発明の詳細な説明】
【技術分野】
【０００１】
情報管理装置、制御方法及びプログラムに関する。
【背景技術】
【０００２】
画像登録サイトに登録した画像にコメントを加え、日付で管理することで、簡単な写真付日記（ダイアリー）を作成することができ、作成した日記をウエブ上で公開することがきる。また作成した日記を他人にも見せたい場合は、ＵＲＬといった日記へアクセス可能な情報を他人に教えることで、他人は簡単に作成した日記にアクセスすることができる。
ウエブ日記を作成する方法としては以下のような技術が開示されている。
先行文献１においては、画像とコメントを受け付けて、ウエブ上で公開する画像日記を作成する技術が開示されている。
【０００３】
また、自分か作成したウエブ日記を閲覧するユーザを広げるためには、ある投稿サイトに投稿した内容と同じ内容をコピーして、別の投稿サイトに同時に投稿すればよい。
ＷＥＢサイト同士をリンクする方法としては以下のような技術が開示されている。
【０００４】
先行文献２においては、文章が投稿されたＷＥＢサイト同士をリンクさせるために、情報処理装置からＷＥＢサイトに文章が投稿された場合に、当該ＷＥＢサイトのＵＲＬを保存し、ＷＥＢサイト同士をリンクさせる技術が開示されている。
【先行技術文献】
【特許文献】
【０００５】
【特許文献１】特開２００５−８４９０１号公報
【特許文献２】特開２００９−１３４５７４号公報
【発明の概要】
【発明が解決しようとする課題】
【０００６】
しかしながら従来技術では、画像管理サイト内から外部サイトにコメントを投稿する場合に、コメントに外部サイトから画像管理サイトに誘導する情報を付加することができるが、画像管理サイト内で管理される画像の公開権限にあわせて、投稿するコメントに外部サイトから画像管理サイトに誘導する情報を付加することはできないという問題があった。
【０００７】
本願発明は、情報管理サイト内から外部サイトにコメントを投稿する場合に、情報管理サイト内で管理される情報の公開権限に合わせて、投稿するコメントに外部サイトから情報管理サイトに誘導する情報を付加することができる仕組みを提供すること。
【課題を解決するための手段】
【０００８】
本願発明は、クライアント端末およびコメント投稿サイトに通信可能に接続された情報管理装置であって、当該情報管理装置への投稿の権限をもったユーザの前記クライアント端末からのコメントの受付が可能なダイアリーであって前記クライアント端末に表示が可能な前記ダイアリーを、管理する情報管理装置であって、前記ダイアリーが前記投稿の権限を持たないユーザに対して公開すべきものであるか否かを示す情報である公開設定情報を記憶する記憶手段と、前記記憶手段に記憶される前記ダイアリーへ反映させるべく投稿される前記コメントであって、前記コメント投稿サイトに投稿するための当該コメントを、前記投稿の権限をもったユーザの前記クライアント端末から受付ける受付手段と、前記受付手段にて受付けられた前記コメントを含む前記ダイアリーを、前記記憶手段に記憶される前記公開設定情報に基づいて、前記投稿の権限を持たないユーザに対して公開すべきものであるか否か判定する判定手段と、前記受付手段にて受付けられた前記コメントを含む前記ダイアリーへアクセス可能なリンク情報を生成する生成手段と、前記受付手段によって投稿を受付けた前記コメントが反映される前記ダイアリーの前記公開設定情報に基づいて、前記判定手段によって、当該コメントが反映される当該ダイアリーが前記投稿の権限を持たないユーザに対して公開すべきものであると判定された場合には、当該コメントを、前記生成手段によって生成された前記リンク情報とともに、前記コメント投稿サイトに送信し、一方、当該コメントが反映される当該ダイアリーが前記投稿の権限を持たないユーザに対して公開すべきものでないと判定された場合には、前記リンク情報を送信することなく、当該コメントを前記コメント投稿サイトに送信する送信手段とを備えることを特徴とする。
【０００９】
また、前記記憶手段は、前記コメント投稿サイトにログイン可能な情報であるログイン情報をさらに記憶し、前記送信手段は、前記受付手段によって投稿を受付けた前記コメントとともに前記ログイン情報を送信することを特徴とする。
【００１０】
また、前記記憶手段は、前記送信手段の送信先として複数のコメント投稿サイトのリンク情報をさらに記憶し、前記送信手段は、前記記憶手段に記憶されている前記複数のコメント投稿サイトのリンク情報に基づいて、前記コメントと前記リンク情報と前記ログイン情報とを、当該１または複数の投稿サイトに送信することを特徴とする。
【００１１】
また、前記記憶手段は、それぞれの前記コメント投稿サイトにおいて表示が可能なコメントの文字数である、最大文字数をさらに記憶し、前記コメント投稿サイトに前記コメントを送信する場合、前記送信手段は、前記コメント投稿サイトごとのそれぞれの前記最大文字数に基づいて、前記コメントの文字数を前記コメント投稿サイトごとに制御して送信することを特徴とする。
【００１２】
また、前記情報管理装置は、前記リンク情報を短縮した情報である短縮リンク情報を生成するサイトである短縮サイトに通信可能に接続されており、前記生成手段により生成されたリンク情報を、前記短縮サイトに送信するリンク情報送信手段と、前記短縮サイトから前記短縮リンク情報を受信する短縮リンク情報受信手段とをさらに備え、前記コメント投稿サイトに前記コメントを送信する場合、前記送信手段は、前記コメント投稿サイトごとのそれぞれの前記最大文字数に基づいて、前記生成手段によって生成され前記リンク情報送信手段によって前記短縮サイトに送信された前記リンク情報を基に前記短縮サイトにて生成され前記短縮リンク情報受信手段によって受信した前記短縮リンク情報を含む前記コメントを、当該コメントの文字数を前記コメント投稿サイトごとに制御して送信することを特徴とする。
【発明の効果】
【００１３】
本願発明により、情報管理サイト内から外部サイトにコメントを投稿する場合に、情報管理サイト内で管理される情報の公開権限に合わせて、投稿するコメントに外部サイトから情報管理サイトに誘導する情報を付加することができる仕組みを提供することが可能となる。
【図面の簡単な説明】
【００１４】
【図１】コメント管理システムのシステム構成を示す図である。
【図２】ハードウエア構成を示す図である。
【図３】画像管理装置がクライアント端末に表示指示する画面の１例を示す図である。
【図４】画像管理装置がクライアント端末に表示指示する画面の１例を示す図である。
【図５】コメント管理装置がクライアント端末に表示指示する画面の１例を示す図である。
【図６】画像管理装置がクライアント端末に表示指示する画面の１例を示す図である。
【図７】画像管理装置がクライアント端末に表示指示する画面の１例を示す図である。
【図８】画像管理装置がクライアント端末に表示指示する画面の１例を示す図である。
【図９】コメント管理システムのフローチャートを示す図である。
【図１０】コメント管理システムのフローチャートを示す図である。
【図１１】コメント管理システムのフローチャートを示す図である。
【図１２】コメント管理システムのフローチャートを示す図である。
【図１３】コメント管理システムのフローチャートを示す図である。
【図１４】コメント管理システムのフローチャートを示す図である。
【図１５】画像管理装置が管理するデータテーブルを示す図である。
【発明を実施するための形態】
【００１５】
図１を説明する。
図１は、本願発明のコメント管理システムが構成するシステム構成図である。
【００１６】
１００は画像管理サーバ（画像管理装置）であり、クライアント端末２００と通信可能に接続され、クライアント端末から登録（アップロード）された画像の画像情報を管理するオンラインアルバムである画像管理サイトである。さらにコメント投稿サイト１０１に通信可能に接続され、画像管理サイト内のダイアリーにコメントを入力し登録すると同時に、画像管理サイト内からコメント投稿サイトに同じコメントを投稿（送信）できるマルチポストが可能である。
【００１７】
また、本願発明の画像管理装置１００は、ユーザ登録をしたユーザが、ダイアリー（日記）のように、日毎に画像と文章（コメント）を登録（アップロード）することができる。
なお、画像管理サーバ１００は、画像とコメントを管理するブログサイト（ダイアリーサイト）であってもよい。
【００１８】
１０１はコメント管理サーバ（コメント投稿サイト）であり、画像管理サーバ１００から投稿したコメントを登録することができるＷＥＢサイトである。さらにクライアント端末２０１からもコメントを投稿することもできる。
【００１９】
２００、２０１はクライアント端末であり、クライアント端末のＷＥＢブラウザを介して、画像管理サーバ１００のコンテンツ（画像管理サイト）及びコメント管理サーバ１０１のコンテンツ（コメント投稿サイト）にアクセスすることができる。
図２を説明する。
図２は画像管理サーバ１００、コメント管理サーバ１０１及びクライアント端末２００、クライアント端末２０１のハードウエア構成を示す図である。
図２において、４０１はＣＰＵで、システムバス４０４に接続される各デバイスやコントローラを統括的に制御する。
【００２０】
ＲＯＭ４０２あるいは外部メモリ４１１には、ＣＰＵ４０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２１】
４０３はＲＡＭで、ＣＰＵ４０１の主メモリ、ワークエリア等として機能する。ＣＰＵ４０１は、処理の実行に際して必要なプログラム等をＲＯＭ４０２あるいは外部メモリ４１１からＲＡＭ４０３にロードして、該ロードしたプログラムを実行することで各種動作を実現するものである。
４０５は入力コントローラで、キーボード（ＫＢ）４０９や不図示のマウス等のポインティングデバイス等からの入力を制御する。
【００２２】
４０６はビデオコントローラで、表示部４１０への表示を制御する。なお、表示部４１０はＣＲＴだけでなく、液晶ディスプレイ等の他の表示器であってもよい。これらは必要に応じて管理者が使用するものである。また表示部は指やペン等にてユーザが表示画面内の対象位置を指定するタッチパネル機能を含むものであってもよい。
【００２３】
４０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ４１１へのアクセスを制御する。
【００２４】
４０８は通信Ｉ／Ｆコントローラで、ネットワーク（通信回線）３００を介して外部機器と接続・通信するものであり、ネットワークでの通信制御処理を実行する。例えば、ＴＣＰ／ＩＰを用いた通信等が可能である。
【００２５】
なお、ＣＰＵ４０１は、例えばＲＡＭ４０３内の表示情報用領域へアウトラインフォントの展開（ラスタライズ）処理を実行することにより、ＣＲＴ上での表示を可能としている。また、ＣＰＵ４０１は、ＣＲＴ上の不図示のマウスカーソル等でのユーザ指示を可能とする。
【００２６】
本発明を実現するための後述する各種プログラムは、画像管理サーバ１００の外部メモリ４１１に記録されており、必要に応じてＲＡＭ４０３にロードされることによりＣＰＵ４０１によって実行されるものである。さらに、上記プログラムの実行時に用いられるデータファイル及びデータテーブル等も、外部メモリ４１１または画像管理サーバ１００の記憶手段に格納されており、これらについての詳細な説明も後述する。
図３を説明する。
【００２７】
図３は、ステップＳ１０４でクライアント端末２００が表示するダイアリー画面である。この画面は、ダイアリーを管理する（ダイアリーを作成した）ユーザ（ダイアリー管理者）ダイアリーを公開にするか非公開にするかを設定可能な画面である。
【００２８】
５０１は、ステップＳ１０８でクライアント端末を操作するユーザが公開か非公開かのいずれかを選択するプルダウンメニューであり、画像管理サーバ１００に表示中のダイアリーに関する公開設定情報を送信する。
５１３は、画像（写真）であり、画像管理サーバ１００にダイアリー管理者が登録し、ダイアリー毎にダイアリー管理者が選択した画像である。
５１４は、ユーザアカウント（ｕｓｅｒｎａｍｅ）であり、画像管理サーバ１００にログイン認証されたユーザ情報（ユーザＩＤ）を表示する。
図４を説明する。
【００２９】
図４は、ステップＳ１０４でクライアント端末２００が表示するダイアリー画面である。なお図３の５０１はこの画面に含まれていてもよい。この画面は、ダイアリーを管理する（ダイアリーを作成した）ユーザ（ダイアリー管理者）ダイアリーに対するコメント（文章）を入力可能な画面である。さらにこの画面は、ダイアリーを管理する（ダイアリーを作成した）ユーザ（ダイアリー管理者）入力したコメントを画像管理サイト及びコメント投稿サイトに登録可能な画面である。
【００３０】
５０２は、ステップＳ１０６でクライアント端末を操作するユーザが入力するコメント入力欄であり、画像管理サーバ１００に表示中のダイアリーに関するコメントを送信する。
【００３１】
５０３は、ステップＳ１０７でクライアント端末を操作するユーザがコメントの送信を要求するコメント送信要求であり、画像管理サーバ１００に表示中のダイアリーに関するコメントを送信する。
５０４は、ダイアリーに表示する画像（図３の５１３）を選択するためのボタンである。
５１２は、ステップＳ１０７で送信後に、画像管理サーバ１００に登録された後に、ステップＳ２１４で表示指示されたコメントである。
図５を説明する。
図５は、ステップＳ４０４でクライアント端末２０１が表示するコメント画面である。この画面は一般ユーザが閲覧可能な画面である。
図５の上図は、ダイアリーが公開されている場合に、表示する画面である。
５０５のコメント内にはステップＳ２０７生成したリンク情報（ＵＲＬ）が含まれている。
【００３２】
５０７は、コメント画面を閲覧した一般ユーザが、ユーザ「Ｓｕ３ｄｅｓｕ」に対して、当該コメント投稿サイト内で『サイトにアクセスする方法をおしえてよ。』等の返信のコメントをする場合に押下するボタンであり、ボタン押下後に、返信のコメントを入力することが可能になる。
図５の下図は、ダイアリーが公開されていない（非公開）場合に、表示する画面である。
５０６は、ステップＳ２０２で受け付けたコメントと同じコメントが表示される。
図６を説明する。
【００３３】
図６は、ステップＳ５０４でクライアント端末２０１が表示するダイアリー画面である。この画面は、ダイアリーが公開されている場合に、一般ユーザが閲覧可能な画面である。
５０９は、ステップＳ１０７で送信後に、画像管理サーバ１００に登録された後に、ステップＳ２１４で表示指示されたコメントと同じコメントである。
図７を説明する。
図７は、ステップＳ６０１でクライアント端末２００がユーザアカウント情報を画像管理サーバ１００に送信可能な共有ユーザアカウント設定画面である。
５１０は、コメント投稿サイト毎に入力されたユーザアカウント情報を画像管理サーバ１００に送信することが可能なボタン（設定）である。
コメント投稿サイト（Ｔｗ）にログイン可能なユーザアカウントは「Ｓｕ３ｄｅｓｕ」である。
コメント投稿サイト（ｍｉｘ）にログイン可能なユーザアカウントは「１２０４９８０３２１３」である。
【００３４】
ユーザアカウント「Ｓｕ３ｄｅｓｕ」が送信されると、図１５の下図（マルチポスト設定情報）のＯｐｅｎＩＤにコメント投稿サイト（Ｔｗ）と対応して登録される。
【００３５】
ユーザアカウント「１２０４９８０３２１３」が送信されると、図１５の下図（マルチポスト設定情報）のＯｐｅｎＩＤにコメント投稿サイト（ｍｉｘ）と対応して登録される。
図８を説明する。
図８は、ステップＳ７０１でクライアント端末２００がマルチポスト設定を画像管理サーバ１００に送信可能なマルチポスト設定画面である。
５１１は、コメント投稿サイト毎にチェックされたコメント投稿サイト情報を画像管理サーバ１００に送信することが可能なチェックボックスである。
ここで、コメント投稿サイト（Ｔｗ）にはチェックマークがあるので、ステップＳ２０８またはステップＳ２０９でコメントが送信される。
ここで、コメント投稿サイト（Ｆｂ）にはチェックマークがないので、ステップＳ２０８またはステップＳ２０９でコメントが送信されない。
チェックマークがある場合は、図１５の下図（マルチポスト設定情報）のマルチポスト設定が○になる。
チェックマークがない場合は、図１５の下図（マルチポスト設定情報）のマルチポスト設定が空欄になる。
図９を説明する。
【００３６】
図９は、ダイアリーを管理する（ダイアリーを作成した）ユーザ「Ｓｕ３ｄｅｓｕ」（ダイアリー管理者）のダイアリー画面表示要求処理を示すフローチャートである。
ＣからステップＳ１０１に進む。
【００３７】
ステップＳ１０１では、クライアント端末２００は、画像管理サーバ１００である画像管理サイトのＵＲＬを介して画像管理サイトにアクセスした後に、画像管理サーバ１００にユーザ情報及びパスワードを含むログイン要求（ユーザ情報及びパスワード）とダイアリー画面の表示要求（図３または図４のいずれか）を送信する。
ここで送信する画像管理サイトにログイン可能な情報に含まれるユーザ情報は例えば「Ｓｕ３ｄｅｓｕ」である。
ステップＳ１０２では、画像管理サーバ１００は、ログイン要求を受け付ける。
ステップＳ１０３では、画像管理サーバ１００は、ログイン認証に従ってユーザ毎の画像管理サイト内のダイアリー画面の表示指示をする。
ステップＳ１０４では、クライアント端末２００は、ダイアリー画面（図３または図４のいずれか）を表示部に表示する。
ステップＳ１０５では、クライアント端末２００におけるユーザの画面選択操作であり、ユーザの選択に従って、操作ボタンが選択される。
【００３８】
ステップＳ１０６では、クライアント端末２００においてコメント欄（図４の５０２）にコメントが入力される。例えばここで入力されるコメントは『サイトにアップしたよ。』である。
ステップＳ１０７では、クライアント端末２００で、投稿ボタン（図４の５０３）が押下される。押下されると、Ａに進む。
【００３９】
さらにここで投稿ボタン（図４の５０３）を用いてコメントを投稿できるのは、本願発明の画像管理装置がログイン認証したユーザ（登録画像の管理ユーザ）のみでなくログイン認証しない一般のユーザもコメントを投稿できる。この場合一般のユーザは画像（ダイアリー画面）が、管理ユーザにより公開設定にされているので、ステップＳ１０６でコメントを入力することができる。
【００４０】
ステップＳ１０８では、クライアント端末２００で、ユーザにより選択された画像の閲覧権限をユーザが設定するために、閲覧権限の切り替えタブ（図３の５０１）を用いて公開または非公開のいずれかが選択される。選択されると、Ｂに進む。ここで、公開を選択した場合は、本願発明の画像管理装置がログイン認証したユーザ（登録画像の管理ユーザ）のみが閲覧可能な画像（ダイアリー画面）となり、ここで、非公開を選択した場合は、ログイン認証をせずにすべてのユーザ（一般ユーザ）が閲覧可能な画像（ダイアリー画面）となる。
【００４１】
さらにここで閲覧権限の切り替えタブ（図３の５０１）を用いて公開または非公開のいずれかが選択できるのは、本願発明の画像管理装置がログイン認証したユーザ（登録画像の管理ユーザ）のみである。よって本願発明の画像管理装置がログイン認証したユーザ（登録画像の管理ユーザ）のみが画像（ダイアリー画面）の閲覧権限を設定することが可能であり、つまりステップＳ２０７で画像（ダイアリー画面）へのリンク情報を生成し、追加するかいなかを選択することができる。
図１０を説明する。
図１０は、ダイアリー管理者が行うコメント投稿処理を示すフローチャートである。
ＡからステップＳ２０１に進む。
【００４２】
ステップＳ２０１では、クライアント端末２００は、画像管理サーバ１００に、ステップＳ１０６で入力されたコメント及び画像管理サーバ１００に登録されている画像を識別可能な情報を送信する。
【００４３】
ステップＳ２０２では、画像管理サーバ１００は、クライアント端末から登録され、ダイアリーに画面に表示されている画像に対するコメント『サイトにアップしたよ。』を受け付ける（コメント受付手段）。
さらにここで、受け付けたコメントは、画像管理サーバ１００が管理する図示しないデータベースに登録する。
【００４４】
ステップＳ２０３では、画像管理サーバ１００は、ユーザ毎のマルチポストデータ（図１５の下段）を参照し、複数のコメント投稿サイトの中からどのコメント投稿サイトにステップＳ２０２で受け付けたコメントを送信するかを読み出す。。例えば、マルチポストデータ複数のコメント投稿サイトが設定されていれば、設定されている全てのコメント投稿サイトにコメントを送信する。
【００４５】
ステップＳ２０４では、画像管理サーバ１００は、ユーザ毎のマルチポストデータ（図１５の下段）を参照し、ステップＳ２０３で読み出されたコメント投稿サイト毎に、投稿可能なコメント文字数の最大値を読み出す。例えば、コメント投稿サイトＡは１４０文字までが、投稿可能なコメントの文字数であり、コメント投稿サイトＣは４２０文字までが、投稿可能なコメントの文字数である。
【００４６】
ステップＳ２０５では、画像管理サーバ１００は、ユーザ毎のマルチポストデータ（図１５の下段）を参照し、ステップＳ２０３で読み出されたコメント投稿サイト毎にコメント投稿サイトにユーザログイン可能なログイン情報（ユーザＩＤ及びパスワード）を読み出す。例えば、コメント投稿サイトＡは「Ｓｕ３ｄｅｓｕ」がログイン情報であり、コメント投稿サイトＡは「１２０４９８０３２１３」がログイン情報である。
【００４７】
ステップＳ２０６では、画像管理サーバ１００は、ステップＳ２０２でコメントとともに受け付けた画像情報と一致する画像情報を画像情報データ（図１５の上段）から検索し、検索した画像情報の公開設定が公開であるかいなかを判定する（公開判定手段）。
ここで公開であると判定した場合には、ステップＳ２０７に進む。
ここで公開ではない（非公開である）と判定した場合には、ステップＳ２０８に進む。
【００４８】
ステップＳ２０７では、画像管理サーバ１００は、画像管理サーバ１００に登録されているステップＳ２０２で受け付けた画像情報と一致する画像にアクセス可能なリンク情報を生成する。リンク情報はＵＲＬであり、例えばｈｔｔｐ：／／ｘｘｘｘｘｘｘ．ｃｏ．ｊｐ／ダイアリー／[ｕｓｅｒ＿ＩＤ]／[ｅｎｔｒｙ＿ＩＤ]である。このＵＲＬはステップＳ２０１でコメントを送信した画面にログイン可能でかつアクセス可能なＵＲＬである。
【００４９】
さらにここでは画像管理サーバ１００は、ステップＳ２０３で読み出されたコメント投稿サイト毎の文字数に従って、コメント投稿サイト毎に送信するコメントの文字数を制御する。
【００５０】
例えば、コメント投稿サイト毎の文字数の上限を超える場合には、ステップＳ２０２で受け付けたコメントを一部削除する。ステップＳ２０７で生成したＵＲＬを短縮ＵＲＬにする等、コメント投稿サイト毎の文字数の上限を、コメント投稿サイト毎に考慮する。
【００５１】
ステップＳ２０８では、画像管理サーバ１００は、ステップＳ２０９で生成したＵＲＬとともにステップＳ２０２で受け付けたコメント『サイトにアップしたよ。』にステップＳ２０７で生成した『ｈｔｔｐ：／／ｘｘｘｘｘｘｘ．ｃｏ．ｊｐ／ダイアリー／[ｕｓｅｒ＿ＩＤ]／[ｅｎｔｒｙ＿ＩＤ]』を含めて、ステップＳ２０３で読み出したコメント投稿サイト毎に送信する（コメント送信手段）。
【００５２】
さらにここでは、ステップＳ２０３で読み出したコメント投稿サイト毎に送信する前に、ステップＳ２０２で受け付けたコメントの文字数とステップＳ２０４で読み出した表示可能なコメントの文字数に従って、送信するコメントの文字数を制御する（文字数制御手段）。
【００５３】
これにより、コメント投稿サイト毎に指定されたにコメントを表示するコメントの文字数には許容範囲（最大値）があり、ステップＳ２０２で受け付けたコメント『サイトにアップしたよ。』にステップＳ２０７で生成した『ｈｔｔｐ：／／ｘｘｘｘｘｘｘ．ｃｏ．ｊｐ／ダイアリー／[ｕｓｅｒ＿ＩＤ]／[ｅｎｔｒｙ＿ＩＤ]』を加えた文字数が、コメント投稿サイト毎の許容範囲を超えてしまった場合には、ステップＳ２０２で受け付けたコメントの一部を削除したり、ステップＳ２０７で生成したＵＲＬを短縮したりすることにより許容範囲内の文字数に収まるように送信するコメントの文字数を制御することが可能となる。つまりユーザは、コメント投稿サイト毎に指定されたにコメントの最大文字数を知らなくても、ステップＳ１０６でコメントを入力することができる。
【００５４】
ステップＳ２０７で生成したＵＲＬを短縮する方法は、コメント投稿サイト毎の許容範囲に係らず、行ってもよい。ＵＲＬの短縮は、ステップＳ２０７でＵＲＬを作成した後に、外部サイトであるＵＲＬを短縮するサイト（図示しない短縮ＵＲＬサーバ）にステップＳ２０７で生成したＵＲＬを送信し、短縮ＵＲＬサーバがステップＳ２０７で生成したＵＲＬを短縮し、ステップＳ２０７で生成したＵＲＬと関連付けた後に短縮ＵＲＬ（例えば、『ｈｔｔｐ：／／ｘ／ｘｘ』）を受信する。
【００５５】
さらにここではステップＳ２０５で読み出したコメント投稿サイトにログイン可能な情報とともに送信することで、画像管理サーバ１００がコメント投稿サイトにログイン要求をすることができ、コメント投稿サイトに直接コメントを投稿する場合と同じようにコメントを投稿することができる。
ここで送信するコメント投稿サイトにログイン可能な情報に含まれるユーザ情報は例えば「Ｓｕ３ｄｅｓｕ」である。
【００５６】
ステップＳ２０９では、画像管理サーバ１００は、ステップＳ２０２で受け付けたコメント『サイトにアップしたよ。』をコメント投稿サイトのＵＲＬを介してステップＳ２０３で読み出したコメント投稿サイト毎に送信する（コメント送信手段）。
【００５７】
さらにここでは、ステップＳ２０３で読み出したコメント投稿サイト毎に送信する前に、ステップＳ２０２で受け付けたコメントの文字数とステップＳ２０４で読み出した表示可能なコメントの文字数に従って、送信するコメントの文字数を制御する（文字数制御手段）。
【００５８】
これにより、コメント投稿サイト毎に指定されたにコメントを表示するコメントの文字数には許容範囲（最大値）があり、ステップＳ２０２で受け付けたコメント『サイトにアップしたよ。』の文字数が、コメント投稿サイト毎の許容範囲を超えてしまった場合には、ステップＳ２０２で受け付けたコメントの一部を削除することにより許容範囲内の文字数に収まるように送信するコメントの文字数を制御することが可能となる。
【００５９】
さらにここではステップＳ２０５で読み出したコメント投稿サイトにログイン可能な情報とともに送信することで、画像管理サーバ１００がコメント投稿サイトにログイン要求をすることができ、コメント投稿サイトに直接コメントを投稿する場合と同じようにコメントを投稿することができる。
ここで送信するコメント投稿サイトにログイン可能な情報に含まれるユーザ情報は例えば「Ｓｕ３ｄｅｓｕ」である。
ステップＳ２１０では、コメント管理サーバ１０１（コメント投稿サイト）は、画像管理サーバ１００からログイン情報及びコメントを受け付ける。
【００６０】
ステップＳ２１１では、コメント管理サーバ１０１（コメント投稿サイト）は、ステップＳ２１０で受け付けたコメントを、他のクライアント端末からのＵＲＬ送信により、コメントの表示要求があった場合に表示するために、ステップＳ２１０で受け付けたログイン情報及びコメントを対応づけてコメントデータ(文章またはＵＲＬを含む文章)をコメント管理サーバ１０１が管理するデータベースに登録する。
ステップＳ２１１では、コメント管理サーバ１０１（コメント投稿サイト）は画像管理サーバ１００にコメントデータの登録が完了したことを通知する。
ステップＳ２１２では、画像管理サーバ１００は、コメント管理サーバ１０１（コメント投稿サイト）から登録完了の通知を受け付ける。
ステップＳ２１３では、画像管理サーバ１００は、ユーザ毎のダイアリー画面に戻るべく、ダイアリー画面（図３または図４のいずれか）の表示指示をする。
【００６１】
さらにここでは、図４の５１２の領域には、ステップＳ２０２で受け付けたコメントは、画像管理サーバ１００が管理する図示しないデータベースにも登録されているので『サイトにアップしたよ。』も合わせて表示指示する。
表示指示すると、Ｃに進む。
図１１を説明する。
図１１は、ダイアリー管理者が行う公開設定切り替え処理を示すフローチャートである。
ＢからステップＳ３０１に進む。
【００６２】
ステップＳ３０１では、クライアント端末２００は、ログイン認証されたユーザにのみ表示されるプルダウンメニュー(図３の５０１)から公開または非公開のいずれか１つが、ログイン認証されたユーザにより選択され、画像管理サーバ１００に選択された公開設定を送信する。
【００６３】
ここで非公開とは、画像管理サーバ１００にログイン認証されたユーザのみが閲覧できる設定であり、ダイアリー毎に含まれる画像（図３の５１３）とコメント（図３の５１２）はログイン認証されていない一般のユーザは閲覧することはできない。
【００６４】
一方、公開とは、画像管理サーバ１００にログイン認証されていない一般のユーザが閲覧することができ、クライアント端末から、画像管理サーバ１００のＵＲＬを送信するだけで、公開設定されたダイアリー画面中の画像とコメントを閲覧することができる。
ここで画像を特定するために、画像情報である例えば『ｋｋｋｋ.ｊｐｅｇ』を合わせて送信する。
ステップＳ３０２では、画像管理サーバ１００は、公開設定を受け付ける。
ステップＳ３０３では、画像管理サーバ１００は、受け付けたダイアリー毎の公開設定が公開であるかを判定する。
公開であると判定した場合は、ステップＳ３０４に進む。
公開でない（非公開である）と判定した場合は、ステップＳ３０６に進む。
【００６５】
ステップＳ３０４では、画像管理サーバ１００は、ユーザ毎の画像情報データを読み出し、画像情報『ｋｋｋｋ.ｊｐｅｇ』に対応する公開情報を「公開」に設定する。
【００６６】
ステップＳ３０５では、画像管理サーバ１００は、ログイン認証されたユーザ毎のダイアリー画面(ダイアリー公開設定用画面)に戻るべく、ダイアリー画面（図３）の表示指示をする。
表示指示すると、Ｃに進む。
【００６７】
ステップＳ３０６では、画像管理サーバ１００は、ユーザ毎の画像情報データを読み出し、画像情報『ｋｋｋｋ.ｊｐｅｇ』に対応する公開情報を「非公開」に設定する。
図１２を説明する。
図１２は、一般ユーザが行うコメント表示要求処理を示すフローチャートである。
【００６８】
ステップＳ４０１では、クライアント端末２０１は、コメント管理サーバ１０１であるコメント投稿サイトのＵＲＬを介してコメント投稿サイトにアクセスした後に、ステップＳ２１１でコメント投稿サイト内に既に登録されたコメントまたはユーザアカウント（ユーザ情報）をコメント投稿サイト内で検索し、検索したコメント画面の表示要求（図５）を、コメント管理サーバ１０１に送信する。
ここで検索するユーザ情報は例えば「Ｓｕ３ｄｅｓｕ」である。
ステップＳ４０２では、コメント管理サーバ１０１は、クライアント端末２０１からコメント画面の表示要求を受け付ける。
ステップＳ４０３では、
【００６９】
コメント管理サーバ１０１は、ステップＳ４０２で受け付けたユーザ毎のコメント投稿サイト内のコメント画面(図５)をクライアント端末２００に表示指示をする。
ステップＳ４０４では、クライアント端末２００は、コメント画面（図５の上図まはた下図のいずれか１つ）を表示部に表示する。
【００７０】
ここでは、図５の５０５のようにダイアリーが公開である場合はコメントにダイアリーにアクセス可能なＵＲＬ『ｈｔｔｐ：／／ｘｘｘｘｘｘｘ．ｃｏ．ｊｐ／ダイアリー／[ｕｓｅｒ＿ＩＤ]／[ｅｎｔｒｙ＿ＩＤ]』が含まれているが、図５の５０６のようにダイアリーが非公開である場合はコメントにＵＲＬは含まれない。
【００７１】
これによりコメントを見たユーザアカウント「Ｓｕ３ｄｅｓｕ」ではない一般のユーザは、コメントからダイアリーがあることは認識することができるが、これによりコメントからダイアリーにアクセスすることはできないので、ダイアリーへのアクセス方法は、表示されているコメントに返信（図５の５０７）することで問い合わせすることができ、つまりコメント投稿サイトからにユーザアカウント「Ｓｕ３ｄｅｓｕ」に連絡することができる。
【００７２】
ステップＳ４０６では、クライアント端末２００におけるユーザの画面選択操作であり、図５の５０５のようなコメント画面（ダイアリー公開時）が表示されている時に、ユーザの選択に従って、コメントに含まれるＵＲＬ『ｈｔｔｐ：／／ｘｘｘｘｘｘｘ．ｃｏ．ｊｐ／ダイアリー／[ｕｓｅｒ＿ＩＤ]／[ｅｎｔｒｙ＿ＩＤ]』部分が選択（クリック）される。
ここでは図５の５０６のようなコメント画面（ダイアリー非公開）が表示されている時には選択（クリック）できない。
ＵＲＬ『ｈｔｔｐ：／／ｘｘｘｘｘｘｘ．ｃｏ．ｊｐ／ダイアリー／[ｕｓｅｒ＿ＩＤ]／[ｅｎｔｒｙ＿ＩＤ]』部分がクリックされると、Ｄに進む。
ステップＳ４０７では、クライアント端末２００で、コメントするボタン（図５の５０７）が押下される。
【００７３】
そのあとに、図示しないコメント入力画面が表示され、クライアント端末２００でコメントが入力される。例えばここで入力されるコメントは『サイトにアクセスする方法をおしえてよ。』である。コメントにＵＲＬが含まれていない場合（ダイアリー非公開時）には、このように、質問することで、一般のユーザは画像管理サーバ１００で管理されるダイアリーの公開を促したり、ダイアリーへのアクセス方法を、コメント管理サーバ１０１を介して問い合わせすることができる。
コメントを入力すると、入力したコメントをコメント管理サーバ１０１に送信する。
【００７４】
ステップＳ４０８では、コメント管理サーバ１０１（コメント投稿サイト）は、クライアント端末２００からコメントを送信するユーザ情報（ユーザアカウント）とコメントを受け付ける。
【００７５】
ステップＳ４０９では、コメント管理サーバ１０１（コメント投稿サイト）は、ステップＳ４０８で受け付けたコメントを、他のクライアント端末からのＵＲＬ送信により、コメントの表示要求があった場合に表示するために、ステップＳ４０８で受け付けたユーザ情報及びコメントを対応づけてコメントデータ(文章またはＵＲＬを含む文章)をコメント管理サーバ１０１が管理するデータベースに登録し、処理を終了する。
図１３を説明する。
図１３は、一般ユーザが行う、ダイアリー画面表示要求処理を示すフローチャートである。
【００７６】
ステップＳ５０１では、クライアント端末２０１は、画像管理サーバ１００にダイアリー画面（図６）の表示要求をするためにＵＲＬ『ｈｔｔｐ：／／ｘｘｘｘｘｘｘ．ｃｏ．ｊｐ／ダイアリー／[ｕｓｅｒ＿ＩＤ]／[ｅｎｔｒｙ＿ＩＤ]』を送信する。
ステップＳ５０２では、画像管理サーバ１００は、クライアント端末２０１からダイアリー画面の表示要求を受け付ける。
【００７７】
ステップＳ５０３では、画像管理サーバ１００は、ステップＳ５０２で受け付けたＵＲＬ従って、一般ユーザがアクセス可能な画像管理サイト内のダイアリー画面（図６）の表示指示をする。
ステップＳ５０４では、一般ユーザのクライアント端末２０１は、ダイアリー画面（図６）を表示部に表示する。
図１４を説明する。
図１４の上図は、ダイアリー管理者が行うログイン情報登録処理を示すフローチャートである。
【００７８】
ステップＳ６０１では、図７のマルチポストアカウント設定画面を用いて、クライアント端末２００は、画像管理サーバ１００にマルチポスト設定するコメント投稿サイトのログイン情報を送信する。
図７はマルチポストアカウント設定が終了した画面である。
ここで送信するログイン情報とは、コメント投稿サイト毎のログイン情報（ユーザ情報）である。
例えば、コメント投稿サイト「Ｔｗ」のユーザアカウントである「Ｓｕ３ｄｅｓｕ」を送信する。
例えば、コメント投稿サイト「Ｆｂ」のユーザアカウントである「１２０４９８０３２１３」を送信する。
ステップＳ６０２では、画像管理サーバ１００は、ユーザアカウントを受け付ける。
【００７９】
ステップＳ６０３では、画像管理サーバ１００は、受け付けたユーザアカウントをマルチポストデータ（図１５の下図）のＯｐｅｎＩＤにコメント投稿サイトに対応づけて登録する。
図１４の下図は、ダイアリー管理者が行うマルチポスト登録処理を示すフローチャートである。
【００８０】
ステップＳ６０１では、図７のマルチポスト指定画面を用いて、クライアント端末２００は、画像管理サーバ１００にマルチポストに指定するコメント投稿サイトの指定情報を送信する。
図７はマルチポスト指定が終了した画面である。
【００８１】
ここで送信する指定情報とは、ステップＳ２０２で受け付け、ステップＳ２０３で読み出す、コメントを送信するコメント投稿サイトを予め指定する情報である。
例えば、コメント投稿サイト「Ｔｗ」を指定する。
例えば、コメント投稿サイト「Ｆｂ」及び「Ｔｗ」といった複数のコメント投稿サイトを指定する。
ステップＳ６０２では、画像管理サーバ１００は、指定されたコメント投稿サイトを受け付ける。
【００８２】
ステップＳ６０３では、画像管理サーバ１００は、受け付けたユーザ毎のマルチポストデータ（図１５の下図）のマルチポスト設定にコメント投稿サイトに対応づけて登録する。
【００８３】
図１５の上図はユーザ毎の画像情報テーブルであり、ユーザ毎（画像管理サイトのユーザアカウント毎）に画像情報データをリスト管理している。画像管理装置は、画像情報テーブルを外部メモリ４１１に記憶している（記憶手段）。
１つの画像情報データには、画像情報（画像を特定する情報）、登録日、登録名、公開情報を対応づけて管理されている。
画像情報データには、画像情報（画像ＩＤ）毎に公開情報を対応づけて記憶している。
【００８４】
また画像情報は画像を特定する情報ではあるが、画像情報をユーザが作成した個別のダイアリーを特定する情報にしてもよい。なおこの場合はユーザが作成した個別のダイアリー毎に公開情報（公開または非公開）を画像情報に設定する。
登録日はユーザが画像を登録した日である。登録名はユーザが画像に登録した名称である。
【００８５】
図１５の下図はマルチポスト設定情報であり、ユーザ毎（画像管理サイトのユーザアカウント毎）にマルチポスト設定情報を管理している。画像管理装置１００は、マルチポスト設定情報を外部メモリ４１１に記憶している。
マルチポスト設定情報には、投稿サイト（コメント投稿サイト）毎に最大文字数を対応づけて記憶している（マルチポスト情報記憶手段）。
最大文字数とは、コメント投稿サイトが表示可能なコメントの文字数である。
【００８６】
マルチポスト設定情報には、投稿サイト（コメント投稿サイト）毎にマルチポスト設定（マルチポストの送信先）を対応づけて記憶している（マルチポスト情報記憶手段）。
ここで送信先として複数のコメント投稿サイトが記憶されている場合は、複数のコメント投稿サイト全てに送信する。
マルチポスト設定情報には、投稿サイト（コメント投稿サイト）毎にＯｐｅｎＩＤ（ユーザアカウント）を対応づけて記憶している（ログイン情報記憶手段）。
【００８７】
また、本願発明におけるプログラムは、図９〜図１４に示すフローチャートの処理方法をコンピュータが実行可能なプログラムであり、本願発明の記憶媒体は図９〜図１４の処理方法をコンピュータが実行可能なプログラムとして、外部メモリ４１１に記憶されている。  
【００８８】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本願発明の目的が達成されることは言うまでもない。  
【００８９】
この場合、記録媒体から読み出されたプログラム自体が本願発明の新規な機能を実現することになり、そのプログラムを記憶した記録媒体は本発明を構成することになる。  
【００９０】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。  
【００９１】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。  
【００９２】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。  
【００９３】
また、本願発明は、複数の機器から構成されるシステムに適用しても、１つの機器からなる装置に適用してもよい。また、本願発明は、システムあるいは装置にプログラムを供給することによって達成される場合にも適応できることは言うまでもない。この場合、本願発明を達成するためのプログラムを格納した記録媒体を該システムあるいは装置に読み出すことによって、そのシステムあるいは装置が、本願発明の効果を享受することが可能となる。  
【００９４】
さらに、本願発明を達成するためのプログラムをネットワーク上のサーバ，データベース等から通信プログラムによりダウンロードして読み出すことによって、そのシステムあるいは装置が、本願発明の効果を享受することが可能となる。
なお、上述した各実施形態およびその変形例を組み合わせた構成も全て本願発明に含まれるものである。
【符号の説明】
【００９５】
１００  画像管理サーバ（画像管理サイト）
１０１  コメント管理サーバ（コメント投稿サイト）
２００  クライアント端末（ダイアリー管理者）
２０１  クライアント端末（一般ユーザ）
４０１  ＣＰＵ
４０３  ＲＡＭ
【図１】
0005678821.tif 000002
【図２】
0005678821.tif 000003
【図３】
0005678821.tif 000004
【図４】
0005678821.tif 000005
【図５】
0005678821.tif 000006
【図６】
0005678821.tif 000007
【図７】
0005678821.tif 000008
【図８】
0005678821.tif 000009
【図９】
0005678821.tif 000010
【図１０】
0005678821.tif 000011
【図１１】
0005678821.tif 000012
【図１２】
0005678821.tif 000013
【図１３】
0005678821.tif 000014
【図１４】
0005678821.tif 000015
【図１５】
0005678821.tif 000016